(57)【要約】【課題】部品点数を抑えつつ工程数を削減することができる物品のかしめ構造を提供する。【解決手段】制御回路部材は、一端部から延出する態様で形成される複数の延出片２１ａを備える接続端子２１と、各延出片２１ａ間に配置可能に構成された接続端子２２とを有する。接続端子２１の延出片２１ａ間に接続端子２２が配置されるとともに各接続端子２１，２２同士が重ね合わされた状態で、各延出片２１ａが各延出片２１ａ間中心側且つ接続端子２２側に折り曲げられることで接続端子２２が接続端子２１及び延出片２１ａにより挟持されて固定される。【選択図】図３
2012006033.tif 000002
【特許請求の範囲】
【請求項１】
塑性変形させて２つの物品同士の相対移動を規制し固定状態とする物品のかしめ構造であって、
一端部から延出する態様で形成される複数の延出片を備える第１物品と、前記各延出片間に配置可能に構成された第２物品とを有し、
前記第１物品の前記延出片間に前記第２物品が配置されるとともに前記各物品同士が重ね合わされた状態で、前記各延出片が各延出片間中心側且つ前記第２物品側に折り曲げられることで前記第２物品が前記第１物品により挟持されて固定されたことを特徴とする物品のかしめ構造。
【請求項２】
請求項１に記載の物品のかしめ構造において、
前記延出片は、その先端部位及び内側部位が前記第２物品に食い込む態様で折り曲げられて構成されたことを特徴とする物品のかしめ構造。
【請求項３】
請求項１又は２に記載の物品のかしめ構造において、
前記第１物品及び前記第２物品は一方向に長い金属製板状部材で構成されたことを特徴とする物品のかしめ構造。
【請求項４】
請求項１〜３のいずれか一項に記載の物品のかしめ構造において、
前記第１物品及び前記第２物品は電気的に接続される導電端子で構成されたことを特徴とする物品のかしめ構造。
【請求項５】
塑性変形させて２つの物品同士の相対移動を規制し固定状態とされる物品のかしめ方法であって、
一方の物品である第１物品の一端部から延出する態様で複数形成された延出片間に、他方の物品である第２物品を配置するとともに、前記各物品同士を重ね合わせた状態で、治具によって前記各延出片が各延出片間中心側且つ前記第２物品側に折り曲げられることで前記第２物品が前記第１物品により挟持されて固定されることを特徴とする物品のかしめ方法。
【請求項６】
請求項５に記載の物品のかしめ方法において、
前記延出片は、その先端部位及び内側部位が前記治具により前記第２物品に食い込む態様で折り曲げられることを特徴とする物品のかしめ方法。
【請求項７】
請求項５又は６に記載の物品のかしめ方法において、
前記延出片は、一方向に長い前記第１物品の長手方向と直交する方向に予め折り曲げられ、
折り曲げられた前記各延出片間に前記第２物品を挿入配置されることを特徴とする物品のかしめ方法。
【請求項８】
請求項７に記載の物品のかしめ方法において、
前記治具には、前記延出片を折り曲げる際の移動方向と逆側に凹状を成す態様で形成された凹部が設けられ、
前記各物品同士を重ねた状態で、前記治具が前記第１物品の長手方向と直交する方向から前記延出片の先端部側に向かって移動されることで、前記凹部にて前記延出片が各延出片間中心側且つ第２物品側に折り曲げられることを特徴とする物品のかしめ方法。
【発明の詳細な説明】
【技術分野】
【０００１】
本発明は、物品のかしめ構造及び物品のかしめ方法に関するものである。
【背景技術】
【０００２】
従来、物品同士を固定する方法として例えば固定する物品同士をかしめることで固定する方法がある（例えば、特許文献１参照）。このようなかしめ固定方法では、一般的にリベットを用いてかしめ固定するリベットかしめが広く知られている。
【先行技術文献】
【特許文献】
【０００３】
【特許文献１】特開２００６−１５８１４２号公報
【発明の概要】
【発明が解決しようとする課題】
【０００４】
ところで、一般的なかしめ固定においては前述のようなリベットかしめを行うため、複数の物品同士を接続するためにはリベット等の他の部材が必要となってしまい、部品点数の増加を招く虞がある。また、リベットかしめでは、リベットを装着するなどの工程も必要となるため、工程数が増加する虞がある。
【０００５】
本発明は、上記課題を解決するためになされたものであって、その目的は、部品点数を抑えつつ工程数を削減することができる物品のかしめ構造及び物品のかしめ方法を提供することにある。
【課題を解決するための手段】
【０００６】
上記課題を解決するために、請求項１に記載の発明は、塑性変形させて２つの物品同士の相対移動を規制し固定状態とする物品のかしめ構造であって、一端部から延出する態様で形成される複数の延出片を備える第１物品と、前記各延出片間に配置可能に構成された第２物品とを有し、前記第１物品の前記延出片間に前記第２物品が配置されるとともに前記各物品同士が重ね合わされた状態で、前記各延出片が各延出片間中心側且つ前記第２物品側に折り曲げられることで前記第２物品が前記第１物品により挟持されて固定されたことをその要旨とする。
【０００７】
この発明では、一端部から延出する態様で形成される複数の延出片を備える第１物品と、各延出片間に配置可能に構成された第２物品とを有し、第１物品の延出片間に第２物品が配置されるとともに各物品同士が重ね合わされた状態で、各延出片が各延出片間中心側且つ第２物品側に折り曲げられることで第２物品が第１物品により挟持されて固定される。このように、一方の物品（第１物品の延出片）を塑性変形させることで、各物品同士の相対的な移動を規制することができるため、リベット等の他の部材を用いる必要がなく、部品点数及び工程数を抑えることができる。
【０００８】
請求項２に記載の発明は、請求項１に記載の物品のかしめ構造において、前記延出片は、その先端部位及び内側部位が前記第２物品に食い込む態様で折り曲げられて構成されたことをその要旨とする。
【０００９】
この発明では、延出片の先端部位及び内側部位が第２物品に食い込む態様で延出片が折り曲げられて構成される。このように、延出片の先端部位及び内側部位が第２物品に食い込む様に折り曲げ（かしめ）られるため、より強固に各物品の相対移動を規制することができる。
【００１０】
請求項３に記載の発明は、請求項１又は２に記載の物品のかしめ固定構造において、前記第１物品及び前記第２物品は一方向に長い金属製板状部材で構成されたことをその要旨とする。
【００１１】
この発明では、第１物品及び第２物品は一方向に長い金属製板状部材で構成される。このような構成であっても請求項１に記載の効果を奏することができる。
請求項４に記載の発明は、請求項１〜３のいずれか一項に記載の物品のかしめ固定構造において、前記第１物品及び前記第２物品は電気的に接続される導電端子で構成されたことをその要旨とする。
【００１２】
この発明では、第１物品及び第２物品は電気的に接続される導電端子で構成される。このように塑性変形される各物品が導電端子で構成されるため、塑性変形させることで導電端子同士の接触面積を向上させることが可能となる。
【００１３】
請求項５に記載の発明は、塑性変形させて２つの物品同士の相対移動を規制し固定状態とされる物品のかしめ方法であって、一方の物品である第１物品の一端部から延出する態様で複数形成された延出片間に、他方の物品である第２物品を配置するとともに、前記各物品同士を重ね合わせた状態で、治具によって前記各延出片が各延出片間中心側且つ前記第２物品側に折り曲げられることで前記第２物品が前記第１物品により挟持されて固定されることをその要旨とする。
【００１４】
この発明では、２つの物品を重ね合わせた状態で一方の物品である第１物品の端部に複数形成される延出片を、他方の物品である第２物品側にかしめ変形されてその第２物品が挟持されて固定される。このような構成によって請求項１に記載の効果と同様の効果を奏する物品のかしめ固定方法を提供することができる。
【００１５】
請求項６に記載の発明は、請求項５に記載の物品のかしめ方法において、前記延出片は、その先端部位及び内側部位が前記治具により前記第２物品に食い込む態様で折り曲げられることをその要旨とする。
【００１６】
この発明では、延出片は、その先端部位及び内側部位が治具により第２物品に食い込む態様で折り曲げられるため、請求項２に記載の効果と同様の効果を奏することができる。
請求項７に記載の発明は、請求項５又は６に記載の物品のかしめ方法において、前記延出片は、一方向に長い前記第１物品の長手方向と直交する方向に予め折り曲げられ、折り曲げられた前記各延出片間に前記第２物品を挿入配置されることをその要旨とする。
【００１７】
この発明では、延出片は、一方向に長い前記第１物品の長手方向と直交する方向に予め折り曲げられ、折り曲げられた各延出片間に第２物品を挿入配置される。このように、予め第１物品の長手方向と直交する方向に各延出片が折り曲げられることで、第２物品の位置決めを延出片にて容易に行うことができる。また、第２物品の第１物品に対する位置決めを行った後に延出片を前記長手方向と直交する方向に折り曲げる場合と比較して、延出片を折り曲げ易く、製造の容易性を向上させることができる。
【００１８】
請求項８に記載の発明は、請求項７に記載の物品のかしめ方法において、前記治具には、前記延出片を折り曲げる際の移動方向と逆側に凹状を成す態様で形成された凹部が設けられ、前記各物品同士を重ねた状態で、前記治具が前記第１物品の長手方向と直交する方向から前記延出片の先端部側に向かって移動されることで、前記凹部にて前記延出片が各延出片間中心側且つ第２物品側に折り曲げられることをその要旨とする。
【００１９】
この発明では、治具には、延出片を折り曲げる際の移動方向と逆側に凹状を成す態様で形成された凹部が設けられる。各物品同士を重ねた状態で、治具が第１物品の長手方向と直交する方向から延出片の先端部側に向かって移動されることで、凹部にて延出片が各延出片間中心側且つ第２物品側に折り曲げられる。このように、第１物品の長手方向と直交する方向に折り曲げられた延出片が凹部を有する治具の移動のみで所望の形状とされるため、容易に各物品同士の相対移動を規制することができる。
【発明の効果】
【００２０】
従って、上記記載の発明によれば、部品点数を抑えつつ工程数を削減することができる物品のかしめ構造及び物品のかしめ方法を提供することができる。
【図面の簡単な説明】
【００２１】
【図１】（ａ）（ｂ）は、本実施形態における制御回路部材の概略構成図である。
【図２】かしめ固定方法について説明するための模式図である。
【図３】（ａ）（ｂ）は、かしめ固定部位について説明するための説明図である。
【図４】（ａ）（ｂ）は、かしめ固定を実施する治具について説明するための説明図である。
【発明を実施するための形態】
【００２２】
以下、本発明をモータの回転等を制御する制御回路部材に具体化した一実施形態を図面に従って説明する。
図１は、モータに備えられる制御回路部材の概略構成を示す。制御回路部材１０は、図示しないモータに備えられるものであり、保持部材１１と、この保持部材１１に載置されるＩＣ部１２とを有している。なお、本実施形態の制御回路部材１０は、ＩＣ部１２の他にも図示しないコンデンサ等の回路素子が保持部材１１に載置されるようになっている。
【００２３】
保持部材１１は、矩形の略扁平形状（板状）の板状部１１ａと、この板状部１１ａの長手方向両端から板状部１１ａの一方の面の直交方向に立設された端子接続台１１ｂとを有している。この端子接続台１１ｂには、インサート成形された金属製の接続端子２１の一部が露出するように複数設けられている。なお、保持部材１１に設けられる接続端子２１は、図示しない外部電源と直接若しくは間接的に電気的に接続される。
【００２４】
一方、ＩＣ部１２は、前記保持部材１１の板状部１１ａに載置可能な略矩形板状を成すとともに、モータの回転を制御するための半導体素子等が搭載されている。また、ＩＣ部１２の長手方向一端には、接続端子２２が外部に露出するように設けられるとともに、前記保持部材１１の接続端子２１とかしめられて電気的に接続される。このため、例えばＩＣ部１２やその他の制御回路に外部電源からの電力が供給され、図示しないホールＩＣにてモータの回転数を監視するとともに、図示しないモータのブラシへ供給される電力がＩＣ部１２にて適宜制御される。これにより、前記モータの回転が制御回路部材１０によって制御される。
【００２５】
次に、本実施形態のかしめ構造に関する製造方法について説明する。なお、前述の図１とは図が若干異なるものの、本実施形態の特徴部位であるかしめ固定部位の形状がほぼ同じものであるとともに本実施形態の特徴部位の理解を容易に促すべく、図２を用いて説明する。
【００２６】
図２最上段に示すように、先ず、打ち抜き工程において金属製板状部材がプレス機（共に図示略）にて打ち抜かれて、金属製板状部材から２種類の接続端子２１，２２が同時若しくは個別に形成される。この時、接続端子２１，２２は一方向に長い略矩形状となるように形成される。更に、一方の接続端子２１は、その長手方向一端側に長手方向に延びる延出片２１ａが厚み方向及び前記長手方向と直交する幅方向両端部に計２つ形成されている。
【００２７】
その後、図２中前記打ち抜き工程の下部に示すように、かしめ工程の準備工程である曲げ工程において接続端子２１の延出片２１ａが長手方向及び幅方向と直交する方向（接続端子２１の厚み方向）に沿うように折り曲げられて略Ｌ字状を成すよう形成される。
【００２８】
次いで、図２中前記曲げ工程の下部に示すように、前記曲げ工程で折り曲げられた延出片２１ａ間に他方の接続端子２２が位置決めされるようになっている。
次いで、図４（ａ）（ｂ）に示すように、かしめダイ３１に前記接続端子２１，２２が配置される。なお、かしめダイ３１には、前記延出片２１ａを有する接続端子２２の位置決めを可能とする溝部３１ａが形成されている。このため、かしめダイ３１における延出片２１ａを有する接続端子２１の位置を所望の位置で位置決めすることが容易となる。
【００２９】
次いで、かしめパンチ３２がかしめダイ３１（前記接続端子２１，２２）側にパンチングされることで、かしめパンチ３２に形成される半球状のかしめ用凹部３２ａにて前記延出片２１ａが図３（ａ）（ｂ）に示すようにかしめ変形される（かしめ工程）。ここで、かしめ用凹部３２ａが半球状とされることにより、一度のパンチングによって、２つの延出片２１ａが略球面状のかしめ用凹部３２ａ沿って第２物品である接続端子２２の幅方向に食い込む位置まで塑性変形されるとともに、各延出片２１ａの先端が接続端子２２の幅方向に食い込む位置まで塑性変形される。このとき、前述したようにかしめダイ３１における延出片２１ａを有する接続端子２１の位置を所望の位置とすることができるため、かしめパンチ３２によるかしめ時（パンチング）の位置調整を容易とすることができる。
【００３０】
ここで、本実施形態の場合、各延出片２１ａが接続端子２１の幅方向両端部にそれぞれ形成されているため、少なくとも接続端子２１の幅をＷとした場合に、Ｗ≦２ＳＲとする必要がある。
【００３１】
また、かしめ工程において好適に各接続端子２１，２２をかしめ固定させる場合には、各部を次の条件に設定することが好ましい。
かしめ用凹部３２ａの半径をＳＲ、延出片２１ａを有する接続端子２１の厚みｔ１（図２参照）とした場合に、２ｔ１≦半径ＳＲ≦６ｔ１を満足することが好ましく、半径ＳＲ＝３ｔ１と設定することがより好ましい。また、かしめ用凹部３２ａの深さをＤとした場合に、１．５ｔ１≦深さＤ≦５ｔ１を満足することが好ましく、深さＤ＝１．７×ｔ１と設定することがより好ましい。
【００３２】
また、図２に示すように延出片２１ａの曲げ工程における加工後の延出片２１ａの長さをＬ、かしめ用凹部３２ａの円弧長さをＡ、接続端子２２の厚みをｔ２とした場合に、Ａ＋ｔ２≦長さＬ≦３Ａ＋ｔ２を満足することが好ましく、長さＬ＝１．７Ａ＋ｔ２と設定することがより好ましい。ここで、延出片の長さＬが３Ａ＋ｔ２を超える長さに設定すると、曲げ工程において曲げられた延出片２１ａの基端側（図３（ａ）（ｂ）において下側）や延出片２１ａの先端側がかしめ凹部からはみ出す虞があり、好適にかしめ工程を実施することが難しい虞がある。このため、長さＬの上限を３Ａ＋ｔ２とすることが好ましい。また、少なくとも長さＬを円弧長さＡ＋厚みｔ２以上とすることで、かしめパンチ３２によるパンチングの際に、延出片２１ａの先端側を接続端子２２に食い込ませることが可能となる。
【００３３】
次に、本実施形態の特徴的な作用効果を記載する。
（１）本実施形態の制御回路部材１０は、一端部から延出する態様で形成される複数の延出片２１ａを備える接続端子２１と、各延出片２１ａ間に配置可能に構成された接続端子２２とを有する。接続端子２１の延出片２１ａ間に接続端子２２が配置されるとともに各接続端子２１，２２同士が重ね合わされた状態で、各延出片２１ａが各延出片２１ａ間中心側且つ接続端子２２側に折り曲げられることで接続端子２２が接続端子２１及び延出片２１ａにより挟持されて固定される。このように、一方の物品（接続端子２１の延出片２１ａ）を塑性変形させることで、各接続端子２１，２２同士の相対的な移動を規制することができるため、リベット等の他の部材を用いる必要がなく、部品点数及び工程数を抑えることができる。
【００３４】
（２）第２物品としての接続端子２２は延出片２１ａの間に配置されるため、この延出片２１ａによって接続端子２２の幅方向の移動が規制される。また、かしめ工程後に、延出片２１ａの基端側が接続端子２２の幅方向中心側（各延出片間の中心側）に食い込むように形成されるとともに、延出片２１ａの先端部が前記接続端子２２の厚み方向側に食い込むように形成される。このため、第１物品としての接続端子２１と、第２物品としての接続端子２２の相対的な移動をより強固に規制することができる。
【００３５】
（３）本実施形態では接続端子２１，２２が電気的に接続される導電端子で構成される。このように塑性変形される各物品が導電端子で構成されるため、塑性変形させることで導電端子同士の接触面積を向上させることが可能となる。
【００３６】
（４）かしめパンチ３２に備えられるかしめ用凹部３２ａによる１度のパンチングで、延出片２１ａを各接続端子２１，２２の幅方向中心側且つ第２物品としての接続端子２２の厚み方向に折り曲げられて、接続端子２１（延出片２１ａ）により接続端子２２が挟持される。このように、かしめパンチ３２に１度のパンチングで所望のかしめ形状（構造）とすることができるため、かしめ方法における工程数をより抑えることができる。
【００３７】
（５）本実施形態では、かしめ工程時に用いる治具（かしめダイ３１）に、接続端子２１の位置決めを行うための溝部３１ａが形成されているため、接続端子２１の位置決めを容易に行うことができる。また、溝部３１ａによって接続端子２１の位置決めを確実に行うことができるため、かしめパンチ３２によるパンチング（かしめ）の際に所望位置からずれることを抑え、歩留まりを向上させる（不良品の発生を抑える）ことができる。
【００３８】
（６）本実施形態では、接続端子２１毎に延出片２１ａが２つずつ形成される。このような構成とすることで、例えば延出片２１ａを３つ以上形成する構成と比較して簡素な構成とし、延出片２１ａの形成を容易とすることが可能となる。
【００３９】
尚、本発明の実施形態は、以下のように変更してもよい。
・上記実施形態では、延出片２１ａが各接続端子２１にそれぞれ２つずつ形成される構成としたが、３つ以上形成される構成を採用してもよい。
【００４０】
・上記実施形態では、接続端子２２が接続端子２１の所望位置に配置される前に延出片２１ａが接続端子２１の長手方向と直交する方向に曲げられるよう形成したが、これに限らず接続端子２２を接続端子２１の所望位置に配置した状態で延出片２１ａを接続端子２１の長手方向と直交する方向に曲げられるように形成してもよい。
【００４１】
・上記実施形態では、モータの回転制御等に用いられる制御回路部材１０に適用したが、これに限らず、２つの接続端子同士をかしめ固定する構成のものであれば、それに本発明を適用してもよい。また、接続端子に限らず、２つの物品同士をかしめ固定する構成のものであれば、それに本発明を適用してもよい。
【符号の説明】
【００４２】
２１…第１物品及び導電端子としての接続端子、２１ａ…延出片、２２…第２物品及び導電端子としての接続端子、３１…治具としてのかしめダイ、３２…治具としてのかしめパンチ。
【図１】
2012006033.tif 000003
【図２】
2012006033.tif 000004
【図３】
2012006033.tif 000005
【図４】
2012006033.tif 000006